(57)【要約】【課題】土嚢袋を持ち上げることなく簡単に１人で土砂の袋詰め作業が行なえ、しかも水分を含んだ土砂も効率よく袋詰め作業することができる土嚢製造機を提供するものである。【解決手段】基台１１に前後方向に沿ってローラーコンベア１２を取付け、前記基台１１に前面側を除いて複数本の支柱１３を環状に立設して、この支柱１３の上部に、前面が開放した平面略Ｃ字形の上部枠１５を設け、環状に配置した各支柱１３の内側に形成された袋挿入部１４に土嚢袋２を挿入して、この土嚢袋２の口部３を折返して平面略Ｃ字形の前記上部枠１５に支持した状態で、土嚢袋２の口部３から土砂５を投入し、袋詰めが終わった土嚢７をローラーコンベア１２で手前側に引出すようにしたものである。【選択図】  図４
0003138929.tif 000002
【実用新案登録請求の範囲】
【請求項１】
基台に前後方向に沿ってコンベアを取付け、前記基台に前面側を除いて複数本の支柱を環状に立設して、この支柱の上部に、前面が開放した平面略Ｃ字形の上部枠を設け、環状に配置した各支柱の内側に形成された袋挿入部に土嚢袋を挿入して、この土嚢袋の口部を折返して平面略Ｃ字形の前記上部枠に支持した状態で、土嚢袋の口部から土砂を投入し、袋詰めが終わった土嚢をコンベアで手前側に引出すようにしたことを特徴とする土嚢製造機。
【請求項２】
コンベアがローラーコンベアで形成されていることを特徴とする請求項１記載の土嚢製造機。
【考案の詳細な説明】
【技術分野】
【０００１】
本考案は、何処でも簡単に土嚢を製造することができる土嚢製造機に関するものである。
【背景技術】
【０００２】
土嚢は、土砂崩れや河川の氾濫などの災害に備えて予め製造しておく場合もあるが、保管場所や運搬などの問題があり、災害現場で製造することも多い。一般に土嚢の袋詰めは人手によって行なうか、または大型の機械で大量に詰める方法で行なわれている。人手によって土嚢袋に詰める場合、一人が土嚢袋の口部を広げて支持し、もう一人がスコップで土砂を入れる２人の作業で行なっていた。このため、一人でも袋詰めできる土嚢製造機（特許文献）が提案されている。
【０００３】
これは、図５（Ａ）に示すように、底を抜いたバケツ状の筒体１を土嚢袋２の口部３から挿入し、この状態で筒体１にスコップ４で土や砂やなどの土砂５を詰め込んでから、図５（Ｂ）に示すように、筒体１と土嚢袋２を一緒に持ち上げて、筒体１内の土砂５を土嚢袋２内に落下させる。次に筒体１だけを引き抜いて、図５（Ｃ）に示すように、口部３の紐６を縛って土嚢７を製造するものである。
【０００４】
これは、一人で袋詰め作業をできるが、最初に底を抜いたバケツ状の筒体１を土嚢袋２の口部３から挿入し、土砂５を詰め込んでから、土砂５を土嚢袋２内に落下させるため筒体１と重い土嚢袋２を一緒に持ち上げなければならず重労働であった。しかも、土砂５が湿っている場合には、筒体１の内側に土砂５が付着して簡単に引き出せないなどの欠点があった。また筒体１の高さや外径が、土嚢袋２の深さや口部３の内径に対応していないと、使用しにくい問題があった。
【特許文献１】特開２００６−１２５０３５
【考案の開示】
【考案が解決しようとする課題】
【０００５】
本考案は上記問題を改善し、土嚢を持ち上げることなく簡単に１人で土砂の袋詰め作業が行なえ、しかも水分を含んだ土砂も効率よく袋詰め作業することができる土嚢製造機を提供するものである。
【課題を解決するための手段】
【０００６】
本考案の請求項１記載の土嚢製造機は、基台に前後方向に沿ってコンベアを取付け、前記基台に前面側を除いて複数本の支柱を環状に立設して、この支柱の上部に、前面が開放した平面略Ｃ字形の上部枠を設け、環状に配置した各支柱の内側に形成された袋挿入部に土嚢袋を挿入して、この土嚢袋の口部を折返して平面略Ｃ字形の前記上部枠に支持した状態で、土嚢袋の口部から土砂を投入し、袋詰めが終わった土嚢をコンベアで手前側に引出すようにしたことを特徴とするものである。
【０００７】
本考案の請求項２記載の土嚢製造機は、請求項１において、コンベアがローラーコンベアで形成されていることを特徴とするものである。
【考案の効果】
【０００８】
本考案に係る請求項１記載の土嚢製造機によれば、袋挿入部に土嚢袋を挿入して、その口部を平面略Ｃ字形に形成された上部枠に折返して、口部を広げて係止させた状態で土砂を投入できるので、一人で作業することができ、また所定量の土砂を詰めた後、紐６で縛って、そのまま重い土嚢をコンベアで手前に引き出せるので作業が容易である。
【０００９】
また請求項２記載の土嚢製造機によれば、コンベアがローラーコンベアで形成さているので、重量の重い土嚢を滑らかに移動させることができる。
【考案を実施するための最良の形態】
【００１０】
以下本考案の実施の一形態を図１ないし図４を参照して詳細に説明する。図において１０は土嚢製造機を示すもので、金属製のリングで形成された基台１１の上に、前後方向に沿ってローラーコンベア１２を取付け、前記基台１１に前面側を除いて上端を湾曲させた４本の金属製支柱１３が環状に立設され、この内側に袋挿入空間部１４が形成されている。この支柱１３の上部側に、前面が開放した平面略Ｃ字形に形成され、その両端を湾曲させた上部枠１５が接合されている。また各支柱１３の底部には平板状の台座１６がそれぞれ接合されている。
【００１１】
上記構成の土嚢製造機は、土嚢製造機１０を地面に設置し、各支柱１３の内側の袋挿入部１４に土嚢袋２を挿入して、その口部３を、平面略Ｃ字形に形成された上部枠１５に折返して係止させる。この状態で、図４に示すようにスコップ４で土砂５を土嚢袋２の口部３から投入していく。所定量の土砂５を投入したら、口部３を上部枠１５から外して、紐６を縛って口部３を塞ぎ土嚢７を製造する。この後、製造した重量の重い土嚢７をローラーコンベア１２の上を移動させて手前側に引き出す。以下同様に、土嚢袋２をセットして袋詰め作業を行なうことにより、一人で重量の重い土嚢７を簡単に製造することができる。
【００１２】
なお上記説明では、コンベアとしてローラーコンベア１２を設けた場合について示したが、ベルトコンベアでも良い。また台座１６の下部にキャスターを取付けて移動を容易にした構造でも良い。キャスターを取付けた物は、災害現場への移動が容易である。
【図面の簡単な説明】
【００１３】
【図１】本考案の実施の一形態による土嚢製造機の斜視図である。
【図２】図１の土嚢製造機を示す正面図である。
【図３】図１の土嚢製造機を示す側面図である。
【図４】図１の土嚢製造機に土嚢袋をセットして土嚢袋に土砂を投入している状態を示す斜視図である。
【図５】従来の土嚢製造機で土嚢を製造する手順を示す説明図である。
【符号の説明】
【００１４】
１    筒体                                                              ２    土嚢袋                                                
３    口部                                                  
４    スコップ                                              
５    土砂                                                  
６    紐                                                    
７    土嚢                                                  
１０  土嚢製造機                                            
１１  基台                                                  
１２  ローラーコンベア                                      
１３  支柱                                                  
１４  袋挿入部                                              
１５  上部枠                                                
１６  台座                                                
【図１】
0003138929.tif 000003
【図２】
0003138929.tif 000004
【図３】
0003138929.tif 000005
【図４】
0003138929.tif 000006
【図５】
0003138929.tif 000007